(57)【要約】【課題】  絞りの経年劣化による撮影の失敗を低減する。【解決手段】  シャッターボタンが全押しされレリーズスイッチがオンしたらレリーズ回数をインクリメントする指令信号をレンズ内ＣＰＵへ送信する（Ｓ１１８）。画像データをフラッシュメモリから読出し（Ｓ１２０）ＪＰＥＧ形式に則って圧縮する（Ｓ１２２）。圧縮された画像データを記録媒体へ記録する（Ｓ１２４）。交換レンズの不揮発性メモリから累積絞り動作回数を読み出す指令信号をレンズ内ＣＰＵへ送信し（Ｓ１２６）、不揮発性メモリから保証動作回数を読み出す指令信号をレンズ内ＣＰＵへ送信する（Ｓ１２８）。レンズ内ＣＰＵから受信した累積絞り動作回数と保証動作回数の比較処理を行う（Ｓ１３０）。累積絞り動作回数が保証動作回数を超えていることが確認されたら、警告メッセージを液晶モニタに表示する。【選択図】        図３
2005140914.tif 000002
【特許請求の範囲】
【請求項１】
絞りを有する交換レンズと、
前記交換レンズが着脱自在に装着されるカメラ本体とを備え、
前記交換レンズは、前記絞りの累積駆動回数と動作保証回数とを記憶する記憶手段を有し、
前記カメラ本体は、前記累積駆動回数が前記動作保証回数に達したことが確認されたら、その旨報知する報知手段を有し、
前記絞りが駆動されるとき、前記記憶手段に記憶された前記累積駆動回数の更新処理、及び前記累積駆動回数と前記動作保証回数との比較処理が行われることを特徴とするカメラシステム。
【請求項２】
前記カメラ本体は、前記絞りが駆動されるとき前記更新処理を指示する更新指示手段を有し、
前記交換レンズは、前記更新指示手段からの指示に応じて前記更新処理を行う更新手段を有することを特徴とする請求項１に記載のカメラシステム。
【請求項３】
測光処理の結果設定される絞り値が開放Ｆ値であるとき、前記更新手段は前記更新処理を行わないことを特徴とする請求項２に記載のカメラシステム。
【請求項４】
前記カメラ本体は、前記絞りが駆動されるとき前記累積駆動回数と前記動作保証回数とを比較する比較手段を有することを特徴とする請求項１に記載のカメラシステム。
【請求項５】
絞りを具備し、前記絞りの累積駆動回数と動作保証回数とを記憶する記憶手段を有する交換レンズが着脱自在に装着されるカメラ本体であって、
前記累積駆動回数が前記動作保証回数に達したことが確認されたら、その旨報知する報知手段を備え、
前記絞りを駆動するとき、前記記憶手段に記憶された前記累積駆動回数を更新させることを特徴とするカメラ本体。
【請求項６】
前記絞りを駆動するとき、前記累積駆動回数と前記動作保証回数とを比較する比較手段を有することを特徴とする請求項５に記載のカメラ本体。
【請求項７】
カメラ本体に着脱自在に装着される交換レンズであって、
絞りと、
前記絞りの累積駆動回数と動作保証回数を記憶する記憶手段とを備え、
前記カメラ本体により前記絞りが駆動されるとき、前記記憶手段に記憶された前記累積駆動回数が更新されることを特徴とする交換レンズ。
【請求項８】
測光処理の結果設定される絞り値が開放Ｆ値であるとき、前記累積駆動回数の更新処理は実行されないことを特徴とする請求項５または７のいずれかに記載のカメラ本体若しくは交換レンズ。
【発明の詳細な説明】
【技術分野】
【０００１】
本発明は、カメラ本体とこのカメラ本体に着脱自在に装着される交換レンズとから成るカメラシステムに関する。
【背景技術】
【０００２】
従来、レンズ交換型一眼レフカメラを構成する交換レンズには、絞りが内蔵されている。カメラ本体に取り付けられた交換レンズ内の絞りは、レリーズ時、測光処理に基づいて決定される絞り値まで絞り込まれるよう駆動される（例えば特許文献１）。
【特許文献１】特開平２−６８５２９号公報
【発明の開示】
【発明が解決しようとする課題】
【０００３】
このような絞りには複数の絞り羽根を組合せたものが用いられる。これら複数の絞り羽根は測光処理の結果に基づいて設定される絞り値に応じて適宜駆動され、絞り羽根により形成される絞り口径（絞りの開度）が調節される。上述のようにレリーズの度に絞りの駆動処理が繰り返し行われると、絞り羽根や絞り羽根を駆動するための部材が次第に磨耗してしまう。従って、設定される絞り値に応じて絞りを駆動させても、絞り羽根がスムーズに駆動されず、予定された絞り口径が得られない場合が生じる。その結果、適切な露出ができず撮影に失敗するという問題がある。
【０００４】
本発明は、以上の問題を解決するものであり、絞りの経年劣化による撮影の失敗を事前に防止することを目的とする。
【課題を解決するための手段】
【０００５】
本発明に係るカメラシステムは、絞りを有する交換レンズと、交換レンズが着脱自在に装着されるカメラ本体とを備え、交換レンズは、絞りの累積駆動回数と動作保証回数とを記憶する記憶手段を有し、カメラ本体は、累積駆動回数が動作保証回数に達したことが確認されたら、その旨報知する報知手段を有し、絞りが駆動されるとき、記憶手段に記憶された累積駆動回数の更新処理、及び累積駆動回数と動作保証回数との比較処理が行われることを特徴とする。
【０００６】
選択的に、カメラ本体は、絞りが駆動されるとき更新処理を指示する更新指示手段を有し、交換レンズは、更新指示手段からの指示に応じて更新処理を行う更新手段を有してもよい。
【０００７】
好ましくは、測光処理の結果設定される絞り値が開放Ｆ値であるとき、更新手段は更新処理を行わない。
【０００８】
選択的に、カメラ本体は、絞りが駆動されるとき累積駆動回数と動作保証回数とを比較する比較手段を有してもよい。
【０００９】
本発明に係るカメラ本体は、絞りを具備し、絞りの累積駆動回数と動作保証回数とを記憶する記憶手段を有する交換レンズが着脱自在に装着されるカメラ本体であって、累積駆動回数が動作保証回数に達したことが確認されたら、その旨報知する報知手段を備え、絞りを駆動するとき、記憶手段に記憶された累積駆動回数を更新させることを特徴とし、選択的に、累積駆動回数と動作保証回数とを比較する比較手段を有していてもよい。
【００１０】
本発明に係る交換レンズは、カメラ本体に着脱自在に装着される交換レンズであって、絞りと、絞りの累積駆動回数と動作保証回数を記憶する記憶手段とを備え、カメラ本体により絞りが駆動されるとき、記憶手段に記憶された累積駆動回数が更新されることを特徴とする。
【００１１】
好ましくは、測光処理の結果設定される絞り値が開放Ｆ値であるときは累積駆動回数の更新処理は実行されない。
【発明の効果】
【００１２】
以上のように本発明によれば、絞りが駆動されるたびに累積駆動回数が更新され、累積駆動回数が動作保証回数を超えるとその旨報知される。従って、使用者は、絞りが交換時期にきていることを知ることができる。換言すれば、絞りの経年劣化により適切な露出が得られずに撮影に失敗する可能性が低減される。
【００１３】
撮影動作時以外のとき、光学ファインダに導かれる光束が十分な光量を有するよう、絞りの開口径は最大に定められる。一方、測光処理の結果設定される絞り値が開放Ｆ値であるときの絞りの開口径は最大である。すなわち、設定絞り値が開放Ｆ値のとき、絞りは駆動されない。従って、設定絞り値が開放Ｆ値のとき累積駆動回数の更新を行わないことにより、累積動作回数の計測がより正確なものとなる。
【発明を実施するための最良の形態】
【００１４】
図１は、本発明に係る実施形態が適用されるカメラシステムのブロック図である。
交換レンズ１０はカメラ本体２０に着脱自在に装着される。交換レンズ１０内にはレンズＣＰＵ１１が設けられ、カメラ本体２０内にはカメラＣＰＵ２１が設けられる。レンズＣＰＵ１１とカメラＣＰＵ２１の間では、シリアル通信により制御信号や諸データ等の送受信が行われる。
【００１５】
カメラＣＰＵ２１には、測光回路２２及び測距回路２３が接続されている。カメラ本体２０の所定位置に設けられた測光センサ（図示せず）及び測距センサ（図示せず）による検知結果が、これらの回路を介してカメラＣＰＵ２１に入力される。カメラＣＰＵ２１では、測光回路２２及び測距回路２３からの入力信号に基づいて、後述する各駆動回路の制御信号を生成する。
【００１６】
カメラ本体２０内のクイックリターンミラー２４は、ミラー駆動回路２５によって駆動され、ミラー駆動回路２５はカメラＣＰＵ２１によって制御される。クイックリターンミラー２４は通常、被写体を観察するための位置であるダウン位置（実線により示される傾斜状態）に定められ、交換レンズ１０内の撮影光学系を通過した光を光学ファインダ２６に導いているが、撮影動作時、カメラＣＰＵ２１の制御に従い、ミラー駆動回路２５によって上方に回動し、アップ位置（破線により示される水平状態）に定められる。
【００１７】
シャッター２７は、シャッター駆動回路２８によって駆動され、シャッター駆動回路２８はカメラＣＰＵ２１によって制御される。シャッター２７は通常閉塞しているが、撮影動作時、カメラＣＰＵ２１の制御に従って、シャッター駆動回路２８により所定時間開放され、これにより交換レンズ１０内の撮影光学系１２を通過した光が撮像素子２９の受光面に照射される。
【００１８】
絞り駆動機構３０は絞り駆動回路３１により駆動され、絞り駆動回路３１はカメラＣＰＵ２１によって制御される。絞り駆動機構３０が駆動されるとその動きは交換レンズ１０内の絞り１３に伝達され、絞り１３の開口径が所定の大きさに定められる。
【００１９】
撮像素子２９は撮像素子駆動回路３２の制御に基づいて駆動され、この間に露光されることにより、撮影光学系１２によって結像された被写体像が光電変換され、撮像素子２９からアナログ画像信号が出力される。アナログ画像信号はＡ／Ｄ変換器３３においてデジタル画像信号に変換され、カメラＣＰＵ２１に入力される。
【００２０】
尚、シャッター駆動回路２８、絞り駆動回路３１、及び撮像素子駆動回路３２は、測光回路２２からの入力信号に基づいてカメラＣＰＵ２１から出力される指令信号に従って動作する。
【００２１】
交換レンズ１０内の撮影光学系１２を構成するフォーカシング光学系（図示せず）は、フォーカス駆動回路３４によって駆動される。フォーカス駆動回路３４は、測距回路２３からの入力信号に基づいてカメラＣＰＵ２１によって制御される。すなわち、被写体までの距離に応じて、フォーカス駆動回路３４を介して撮影光学系１２の合焦動作が行われる。
【００２２】
デジタル画像信号はカメラＣＰＵ２１の制御に基づいて所定の画像処理が施される。ＤＲＡＭ３５には、画像処理の過程において画像データが一時的に格納される。所定の画像処理が施された画像データは、カメラ本体２０の背面に設けられた液晶モニタ３６に表示される。また、画像データは、操作部３７からの操作信号に基づいて画像記録媒体３８に適宜記録される。
【００２３】
フラッシュメモリ３９は、カメラ本体２０を動かすための各種プログラム等が格納される書換え可能なメモリである。また、被写体の光量が不十分なときは、カメラＣＰＵ２１からストロボ回路４０へ駆動信号が出力され、フラッシュ光が供給される。
【００２４】
交換レンズ１０には、不揮発性メモリ１４が設けられる。不揮発性メモリ１４には、絞り１３の動作保証回数と累積動作回数が格納されている。これらのデータはレンズＣＰＵ１１により適宜読み出される。動作保証回数は、交換レンズ１０の製造時における絞り１３の耐久テストの結果に基づき定められる。また、絞り１３が駆動される度にレンズＣＰＵ１１により所定の条件に基づいて累積動作回数の更新処理が実行される。
【００２５】
図２は、本実施形態において、カメラ本体２０に設けられたシャッターボタン（図示せず）の全押し後、カメラ本体のＣＰＵにより実行されるレリーズシーケンスの処理手順を示すフローチャートである。尚、このレリーズシーケンスがスタートする前、すなわちシャッターボタンが半押しされ測光スイッチ４１がＯＮした状態において、測光処理及び測距処理が実行されており、露出値、絞り値、シャッタースピードは既に演算されている。
【００２６】
ステップＳ１００で、シャッターボタンが全押しされレリーズスイッチ４２（図１参照）がＯＮしたことが確認されると、ステップＳ１０２へ進む。ステップＳ１０２では、シャッターボタン半押し時に演算された絞り値（設定絞り値）がレンズＣＰＵ１１へ送信される。次いで、ステップＳ１０４〜Ｓ１１６において一連のレリーズシーケンスが実行される。ステップＳ１０４では、設定絞り値に応じて絞り１３の開度を制御すべく、指令信号が絞り駆動回路３１へ出力される。これに応じて絞り駆動回路３１から絞り駆動機構３０へ駆動信号が出力され、絞り駆動機構３０により交換レンズ１０内の絞り１３が所定量閉じられる。ステップＳ１０６では、クイックリターンミラー２４の跳ね上げの指令信号がカメラＣＰＵ２１からミラー駆動回路２５へ出力される。その結果、ミラー駆動回路２５からクイックリターンミラー２４の駆動機構へ駆動信号が出力され、クイックリターンミラー２４が図１に示す破線の位置まで跳ね上げられる。ステップＳ１０８では、シャッター２７開放の指令信号がカメラＣＰＵ２１からシャッター駆動回路２８へ出力される。これに応じてシャッター２７が開放される。
【００２７】
ステップＳ１１０では、演算された露出値に基づいて撮像素子２９の露光が行われる。次いで、ステップＳ１１２ではシャッター２７全閉の指令信号がカメラＣＰＵ２１からシャッター駆動回路２８へ出力されシャッター２７が閉じられる。ステップＳ１１４でクイックリターンミラー２４の復帰の指令信号がカメラＣＰＵ２１からミラー駆動回路２５へ出力されクイックリターンミラー２４が図１の実線で示す位置へ復帰させられる。ステップＳ１１６で絞り開放の指令信号がカメラＣＰＵ２１から絞り駆動回路３１へ出力される。これに応じて絞り駆動回路３１から絞り駆動機構３０へ駆動信号が出力され、絞り駆動機構３０により交換レンズ１０内の絞り１３が開放される。
【００２８】
次いで図３のステップＳ１１８へ進む。ステップＳ１１８では、レリーズ回数をインクリメントする指令信号がレンズＣＰＵ１１へ送信される。これに応じて、後述するように、レンズＣＰＵ１１により、累積絞り動作回数をインクリメントする処理が実行される。ステップＳ１２０において、フラッシュメモリ３９から画像データが読み出され、ステップＳ１２２において画像データをＪＰＥＧ形式に則って圧縮する圧縮処理が実行される。ステップＳ１２４において、圧縮された画像データが画像記録媒体３８へ記録される。
【００２９】
ステップＳ１２６において、不揮発性メモリ１４から累積絞り動作回数を読み出す指令信号がレンズＣＰＵ１１へ送信され、次いで、ステップＳ１２８において、不揮発性メモリ１４から保証動作回数を読み出す指令信号がレンズＣＰＵ１１へ送信される。両ステップの処理の結果、後述するように、レンズＣＰＵ１１からカメラＣＰＵ２１へ、累積絞り動作回数と保証動作回数が送信される。
【００３０】
次いで、ステップＳ１３０において、レンズＣＰＵ１１から受信した累積絞り動作回数と保証動作回数の比較処理が行われる。その結果、累積絞り動作回数が保証動作回数を超えていることが確認されたら（ステップＳ１３０でＮＯ）、ステップＳ１３２へ進む。ステップＳ１３２では、交換レンズ１０内の絞り１３の耐久性が限界にきていることを報知する警告メッセージを液晶モニタ３６に表示する処理が実行される。
【００３１】
一方、ステップＳ１３０で、累積絞り動作回数が保証動作回数以下であることが確認されたら（ステップＳ１３０でＹＥＳ）、図２のステップＳ１００へ戻り、以降の処理が繰り返される。
【００３２】
図４は、交換レンズ１０のレンズＣＰＵ１１において、カメラ本体２０のカメラＣＰＵ２１からデータ通信があったときの処理手順を示すフローチャートである。ステップＳ２００において、カメラＣＰＵ２１からデータ通信があったかチェックされる。データ通信があったことが確認されたら、ステップＳ２０２、Ｓ２０４、Ｓ２０６において、受信内容の確認が行われる。すなわち、絞り動作回数のインクリメントを要求する指令信号か（Ｓ２０２）、累積絞り動作回数を不揮発メモリ１４から読出すことを要求する指令信号か（Ｓ２０４）、絞り保証動作回数を不揮発メモリ１４から読出すことを要求する指令信号か（Ｓ２０６）、確認される。受信内容がこれらの指令信号のいずれでもない場合（ステップＳ２０６でＮＯ）、ステップＳ２０８において、設定絞り値を受信したものとして不揮発メモリ１４に格納する。
【００３３】
ステップＳ２０４において受信内容が累積絞り動作回数の読出し要求であることが確認された場合（Ｓ２０４でＹＥＳ）、ステップＳ２１０へ進み、不揮発メモリ１４から累積絞り動作回数を読出し、カメラＣＰＵ２１へ送信する。同様に、ステップＳ２０６において受信内容が絞り保証動作回数の読出し要求であることが確認された場合（Ｓ２０６でＹＥＳ）、ステップＳ２１２へ進み、不揮発メモリ１４から保証動作回数を読出し、カメラＣＰＵ２１へ送信する。
【００３４】
ステップＳ２０２において受信内容が絞り動作回数のインクリメント要求であることが確認されたら（ステップＳ２０２でＹＥＳ）、ステップＳ２１４へ進む。ステップＳ２１４では、Ｓ２０８の処理により既に不揮発メモリ１４に格納されている設定絞り値が開放絞り値（開放Ｆ値）であるか確認される。設定絞り値が開放絞り値ではないことが確認されたらステップＳ２１６へ進む。ステップＳ２１６では不揮発メモリ１４から累積絞り動作回数が読み出される。次いでステップＳ２１８へ進み、累積絞り動作回数が「１」インクリメントされる。インクリメントされた累積絞り動作回数は、ステップＳ２２０において不揮発メモリ１４へ格納され、累積絞り動作回数が更新される。
【００３５】
開放絞り値とは絞りが全開させられる絞り値である。上述のように、撮影処理が行われないとき、絞りは常時全開状態に保たれている。従って、カメラＣＰＵ２１から送信された設定絞り値が開放絞り値のとき、絞り１３は駆動されない。そこで、ステップＳ２１４において不揮発メモリ１４に格納されている設定絞り値が開放絞り値であることが確認されたら、ステップＳ２１６〜Ｓ２２０の処理はスキップされる。すなわち、累積絞り動作回数の更新処理は実行されない。
【００３６】
以上のように本実施形態によれば、交換レンズ１０において絞り１３の駆動が行われる度に絞り１３の動作回数をカウントし、累積された動作回数を絞り保証動作回数と比較している。そして、累積動作回数が絞り保証動作回数を超えたら、交換レンズ１０の絞り１３が寿命であることが使用者に報知される。従って、交換レンズ１０の寿命を正確に管理することができる。また、絞り１３の不具合が原因で使用者が撮影に失敗する可能性が低減される。
【００３７】
また、設定絞り値が開放絞り値のときは、累積絞り動作回数の更新処理は実行されない。従って、交換レンズ１０の寿命の管理をより正確に行うことができる。
【００３８】
尚、本実施形態では、累積絞り動作回数と絞り保証動作回数の比較処理をカメラＣＰＵ２１で行っているがこれに限るものではなく、同比較処理をレンズＣＰＵ１１で行うよう構成してもよい。
【００３９】
また、本実施形態では、絞りが駆動されるとき、カメラＣＰＵ２１が絞り動作回数のインクリメントを指示し、それを受信したレンズＣＰＵ１１が不揮発性メモリ１４の絞り動作回数をインクリメントしているが、これに限るものではない。例えば、カメラＣＰＵ２１から絞りが駆動されることを示すデータを受信したレンズＣＰＵ１１が累積絞り動作回数を更新する構成としてもよい。
【図面の簡単な説明】
【００４０】
【図１】本発明に係る実施形態が適用されるカメラシステムのブロック図である。
【図２】カメラ本体のＣＰＵにより実行される、シャッターボタンが全押し後のレリーズシーケンスの前半の処理手順を示すフローチャートである。
【図３】カメラ本体のＣＰＵにより実行される、シャッターボタンが全押し後のレリーズシーケンスの後半の処理手順を示すフローチャートである。
【図４】交換レンズのレンズ内ＣＰＵにおいて、カメラ本体の本体内ＣＰＵからデータ通信があったときの処理手順を示すフローチャートである。
【符号の説明】
【００４１】
１０  交換レンズ
１１  レンズＣＰＵ
１２  撮影光学系
１３  絞り
１４  不揮発性メモリ
２０  カメラ本体
２１  カメラＣＰＵ
２２  測光回路
２３  測距回路
２４  クイックリターンミラー
２５  ミラー駆動回路
２６  光学ファインダ
２７  シャッター
２８  シャッター駆動回路
２９  撮像素子
３０  絞り駆動機構
３１  絞り駆動回路
３２  撮像素子駆動回路
３３  Ａ／Ｄ変換器
３４  フォーカス駆動回路
【図１】
2005140914.tif 000003
【図２】
2005140914.tif 000004
【図３】
2005140914.tif 000005
【図４】
2005140914.tif 000006